(57)【特許請求の範囲】
【請求項１】
被監視装置に出力するパラメータの値を記憶する記憶手段と、
前記パラメータの値を前記被監視装置において未使用パラメータを記憶する領域に出力する出力手段と、
前記被監視装置において未使用パラメータを記憶する領域に設定されている前記パラメータの値を読み取る読取手段と、
前記読取手段により読み取られた前記パラメータの値と、前記記憶手段に記憶されている前記パラメータの値とを比較する比較手段と、
前記比較手段の比較結果に対応して前記被監視装置を制御する制御手段と
を備えることを特徴とする監視装置。
【請求項２】
前記読取手段により読み取られた前記パラメータの値と、前記記憶手段に記憶されている前記パラメータの値とが一致しない場合、前記制御手段は、前記被監視装置の電源を立ち上げる場合と同様の制御を行う
ことを特徴とする請求項１に記載の監視装置。
【請求項３】
被監視装置に出力するパラメータの値を記憶し、
前記パラメータの値を前記被監視装置において未使用パラメータを記憶する領域に出力し、
前記被監視装置において未使用パラメータを記憶する領域に設定されている前記パラメータの値を読み取り、
読み取られた前記パラメータの値と、記憶されている前記パラメータの値とを比較し、
その比較結果に対応して前記被監視装置を制御する
ことを特徴とする監視方法。
【発明の詳細な説明】
【０００１】
【発明の属する技術分野】
本発明は監視装置および方法に関し、特にテレビジョン受像機の内部の回路装置の異常を正確に検出することができるようにした、監視装置および方法に関する。
【０００２】
【従来の技術】
図５は、従来のテレビジョン受像機のオーディオ部の構成例を表している。マイクロコンピュータ４１は、ＲＡＭ５１を内蔵しており、入力部４２からの指令に対応して、サウンドプロセッサ４３を制御するようになされている。サウンドプロセッサ４３は、ＲＡＭ６１を内蔵しており、音声データを処理し、スピーカ４４に出力するようになされている。
【０００３】
次に、その動作について説明する。マイクロコンピュータ４１は、テレビジョン受像機の電源がオンされたとき、図６のフローチャートに示す処理を実行する。最初にステップＳ５１において、立上処理を実行する。この立上処理において、マイクロコンピュータ４１は、サウンドプロセッサ４３を初期化し、各種のパラメータの値を所定のシーケンスに従ってサウンドプロセッサ４３に出力する。サウンドプロセッサ４３は、この初期化処理に対応して、図７を参照して後述するように、異常の有無を自ら判定し、異常がある場合、異常検出データを出力する（図７のステップＳ６２）。
【０００４】
そこで、次にステップＳ５２において、マイクロコンピュータ４１は、サウンドプロセッサ４３から異常検出データが送られてきたか否かを判定する。異常検出データが送られてこなければステップＳ５３に進み、予め設定してある一定の時間が経過したか否かを判定する。一定の時間が経過していなければ、ステップＳ５２に戻り、それ以降の処理を繰り返し実行する。
【０００５】
ステップＳ５３において、一定の時間が経過したと判定された場合、ステップＳ５４に進み、マイクロコンピュータ４１は、入力部４２を操作することで、その時点において設定されているパラメータの値（その入力処理については図８のフローチャートを参照して後述する）をサウンドプロセッサ４３に出力する。そして、ステップＳ５２に戻り、それ以降の処理を繰り返し実行する。
【０００６】
このように、マイクロコンピュータ４１は、サウンドプロセッサ４３が異常検出データを出力しない限り、一定の時間が経過するたびに、その時点において、設定が指令されているパラメータの値をサウンドプロセッサ４３に転送し、そのパラメータの値を設定させる。
【０００７】
そして、ステップＳ５２において、サウンドプロセッサ４３が異常検出データを出力したと判定したとき、ステップＳ５１に戻り、立上処理を実行する。
【０００８】
一方、サウンドプロセッサ４３は、マイクロコンピュータ４１より立上処理の指令が入力されたとき、図７のフローチャートに示す処理を実行する。すなわち、最初にステップＳ６１において、処理上、異常が発生したか否かを判定する。そして、異常が発生しなければ、ステップＳ６１の処理を繰り返し実行し、異常が発生した場合、ステップＳ６２に進み、マイクロコンピュータ４１に対して異常検出データを出力する。
【０００９】
このようにして、サウンドプロセッサ４３から異常検出データが出力されると、図６のステップＳ５２において、マイクロコンピュータ４１が、この異常検出データを受信したと判定し、ステップＳ５１の立上処理を実行することになる。
【００１０】
一方、使用者は、例えば、スピーカ４４より出力される音声のボリュームを調整する場合、入力部４２を操作して、マイクロコンピュータ４１に所定のボリューム量の設定を指令する。マイクロコンピュータ４１は、このように、入力部４２より所定の指令が入力されたとき、図８のフローチャートに示すパラメータ入力処理を実行する。
【００１１】
最初にステップＳ７１において、マイクロコンピュータ４１は、入力部４２より入力された操作量に対応するパラメータの値を、内蔵するＲＡＭ５１に記憶させる。そして、ＲＡＭ５１に記憶したパラメータの値を、ステップＳ７２において、サウンドプロセッサ４３に出力する。
【００１２】
サウンドプロセッサ４３は、マイクロコンピュータ４１より所定のパラメータの入力を受けると、図９のフローチャートに示す処理を実行する。すなわち、最初にステップＳ８１において、マイクロコンピュータ４１より入力されたパラメータの値を、内蔵するＲＡＭ６１に記憶させる。そして、ステップＳ８２において、ＲＡＭ６１に記憶されたパラメータの値を読み出し、そのパラメータの値に対応する設定処理を行う。いまの場合、スピーカ４４に出力するボリュームの値をマイクロコンピュータ４１より入力されたパラメータの値に設定する。
【００１３】
以上のようにして、マイクロコンピュータ４１は、サウンドプロセッサ４３が異常な動作をしているか否かを監視し、異常が検出された場合、サウンドプロセッサ４３を電源立上時と同様にリセットし、最初から動作させる手続を実行する。
【００１４】
【発明が解決しようとする課題】
このように、従来の装置においては、サウンドプロセッサ４３が、自ら異常が発生したか否かを検出し、異常が発生した場合、マイクロコンピュータ４１に、それを通知するようにしている。従って、マイクロコンピュータ４１は、異常の発生を自ら検出する機能を有しないサウンドプロセッサや、検出したとしても、それを外部に通知する機能を有しないサウンドプロセッサである場合、その異常を検知することができない課題があった。
【００１５】
また、異常検出データを出力する機能を有するサウンドプロセッサであったとしても、例えば、停電などにより、電源が一旦オフし、サウンドプロセッサ４３に異常が一旦発生し、その後停電が回復し、電力が供給されるようになって、正常な状態に戻る場合もある。このような場合、異常時にパラメータの値が異常な値に設定されたとしても、それが正常な値とされてしまい、それを異常として検出することが困難となる課題があった。
【００１６】
このように、瞬時の停電などにより異常が発生しても、停電がすぐに回復すると、回復時にサウンドプロセッサ４３が異常に大きな音を発生したりすることがあった。
【００１７】
異常が発生したとしても、適正なパラメータの値を設定することができるように、図６のステップＳ５３，Ｓ５４を参照して説明したように、一定時間毎に、マイクロコンピュータ４１からサウンドプロセッサ４３に対して、その時点において、ＲＡＭ５１に記憶されているパラメータの値をサウンドプロセッサ４３に繰り返し設定するようにしている。しかしながら、一旦異常が発生すると、単にパラメータの値を再設定するだけでは、異常な状態を回復することができない装置も存在する。そのような装置においは、結局、異常な状態を正常な状態に戻すことができないことになる。
【００１８】
本発明はこのような状況に鑑みてなされたものであり、迅速かつ確実に、異常の有無を検出することができるようにするものである。
【００１９】
【課題を解決するための手段】
請求項１に記載の監視装置は、被監視装置に出力するパラメータの値を記憶する記憶手段と、パラメータの値を被監視装置において未使用パラメータを記憶する領域に出力する出力手段と、被監視装置において未使用パラメータを記憶する領域に設定されているパラメータの値を読み取る読取手段と、読取手段により読み取られたパラメータの値と、記憶手段に記憶されているパラメータの値とを比較する比較手段と、比較手段の比較結果に対応して被監視装置を制御する制御手段とを備えることを特徴とする。
【００２０】
請求項１に記載の監視装置においては、例えば、比較手段が、読取手段により読み取られたパラメータの値と、記憶手段に記憶されているパラメータの値とが一致しないとの比較結果を得たとき、制御手段は、被監視装置の電源を立ち上げる場合と同様の制御を行う。
【００２１】
請求項３に記載の監視方法は、被監視装置に出力するパラメータの値を記憶し、パラメータの値を被監視装置において未使用パラメータを記憶する領域に出力し、被監視装置において未使用パラメータを記憶する領域に設定されているパラメータの値を読み取り、読み取られたパラメータの値と、記憶されているパラメータの値とを比較し、その比較結果に対応して被監視装置を制御することを特徴とする。
【００２２】
請求項５に記載の監視方法においては、読み取られたパラメータの値と、記憶されているパラメータの値とが一致しない場合、例えば、被監視装置の電源を立ち上げる場合と同様の制御が行われる。
【００２３】
【発明の実施の形態】
図１は、本発明の監視装置を応用したテレビジョン受像機の構成例を表している。この実施例においては、テレビジョン受像機１が、リモートコマンダ（リモコン）２により、赤外線信号で遠隔制御されるようになされている。
【００２４】
テレビジョン受像機１は、リモコン２より出力された赤外線信号を受信するリモコン受信回路１１を有し、リモコン受信回路１１は、赤外線信号を受信したとき、その検出信号をマイクロコンピュータ（マイコン）１２に出力するようになされている。マイクロコンピュータ１２は、ＲＯＭ２１に記憶されているプログラムに従って各部を制御し、適宜必要なデータやプログラム等をＲＡＭ２２に記憶させるようになされている。
【００２５】
チューナ１７は、図示せぬアンテナを介して受信したテレビジョン放送信号を復調し、その映像信号をビデオプロセッサ１３に出力し、オーディオ信号をサウンドプロセッサ１５に出力するようになされている。ビデオプロセッサ１３は、入力されたビデオ信号を処理し、ＣＲＴ１４に出力するようになされている。また、サウンドプロセッサ１５は、入力された音声信号を処理し、スピーカ１６に出力するようになされている。
【００２６】
ビデオプロセッサ１３はＲＡＭ３１を内蔵し、またサウンドプロセッサ１５はＲＡＭ３２を内蔵している。これらのＲＡＭ３１，３２には、マイコン１２より出力されたパラメータの値が記憶され、ビデオプロセッサ１３またはサウンドプロセッサ１５は、それぞれＲＡＭ３１または３２に記憶されているパラメータの値を設定するように、各種のパラメータ設定処理を実行するようになされている。
【００２７】
電源回路１８は、マイコン１２により制御され、ビデオプロセッサ１３、サウンドプロセッサ１５などに必要な電力を供給するようになされている。
【００２８】
次に、図２のフローチャートを参照して、図１の実施例の動作について説明する。リモコン２を操作して、電源のオンを指令すると、その指令に対応する信号がリモコン受信回路１１を介してマイコン１２に供給される。このとき、マイコン１２は、電源回路１８を制御し、各部に必要な電力を供給させるとともに、図２のフローチャートに示す処理を開始する。
【００２９】
最初にステップＳ１において、マイコン１２は立上処理を実行する。すなわち、マイコン１２は、ビデオプロセッサ１３とサウンドプロセッサ１５に対して初期化処理を行い、所定のシーケンスに従って、設定すべき各種のパラメータの値をＲＯＭ２１から読み出し、供給する。これらのパラメータの値は、それぞれビデオプロセッサ１３のＲＡＭ３１またはサウンドプロセッサ１５のＲＡＭ３２に記憶される。ビデオプロセッサ１３とサウンドプロセッサ１５は、ＲＡＭ３１または３２に記憶されているパラメータの値に従って、パラメータ設定処理を実行することになる。
【００３０】
また、マイコン１２は、チューナ１７を制御し、ＲＯＭ２１にデフォルトとして、予め記憶されているチャンネルの電波を受信させる。チューナ１７は、マイコン１２からの制御信号に対応して、指令されたチャンネルの電波を受信し、復調する。そして、その映像信号と音声信号を、ビデオプロセッサ１３とサウンドプロセッサ１５に、それぞれ出力する。ビデオプロセッサ１３とサウンドプロセッサ１５は、それぞれ入力された信号を処理し、ＣＲＴ１４またはスピーカ１６に出力する。
【００３１】
一方、マイコン１２は、ステップＳ２において、ビデオプロセッサ１３またはサウンドプロセッサ１５が、パラメータとしての設定機能は有するが、テレビジョン受像機１においては使用されていないパラメータｒ１，ｒ２の値としてＲＯＭ２１に記憶されている所定の値Ｒ１，Ｒ２を読み出す。
【００３２】
例えば、ビデオプロセッサ１３とサウンドプロセッサ１５は衛星放送の信号を処理する機能を有しているが、チューナ１７が衛星放送を受信する機能を有していないような場合、衛星放送のパラメータをパラメータｒ１，ｒ２として使用することができる。
【００３３】
次に、ステップＳ３に進み、マイコン１２は、ＲＯＭ２１から読み出した値Ｒ１，Ｒ２をパラメータｒ１，ｒ２の値として、ビデオプロセッサ１３とサウンドプロセッサ１５に出力する。ビデオプロセッサ１３とサウンドプロセッサ１５はこれらの値Ｒ１，Ｒ２をＲＡＭ３１，３２に記憶させる。
【００３４】
次に、ステップＳ４に進み、マイコン１２は、予め設定してある一定の時間が経過するまで待機し、一定の時間が経過したときステップＳ５に進み、ビデオプロセッサ１３とサウンドプロセッサ１５において実際に設定されているパラメータｒ１，ｒ２の値を読み取る処理を実行する。ビデオプロセッサ１３とサウンドプロセッサ１５は、ＲＡＭ３１，３２に記憶されている各種のパラメータの値を基に、各種の処理を行うようになされており、ビデオプロセッサ１３とサウンドプロセッサ１５において異常が発生していなければ、パラメータｒ１，ｒ２は、本来使用されていないパラメータであるため、その値は変化していないはずである。これに対して、ビデオプロセッサ１３とサウンドプロセッサ１５において異常が発生している場合、このパラメータｒ１，ｒ２の値が、ステップＳ３で設定した値Ｒ１，Ｒ２と異なる値に更新されている可能性が高い。
【００３５】
そこで、ステップＳ６において、マイコン１２は、ステップＳ５において読み取ったパラメータｒ１，ｒ２の値が、ステップＳ２においてＲＯＭ２１より読み出した値Ｒ１，Ｒ２と等しいか否かを判定する。いずれの値も等しい場合、ビデオプロセッサ１３とサウンドプロセッサ１５は正常に動作しているものと判定し、ステップＳ７に進む。ステップＳ７では、その時点においてＲＡＭ２２に記憶されている（ビデオプロセッサ１３とサウンドプロセッサ１５において、そのとき使用されている）各種のパラメータの値を読み出し、ビデオプロセッサ１３とサウンドプロセッサ１５に出力する。
【００３６】
ビデオプロセッサ１３とサウンドプロセッサ１５は、マイコン１２より各種のパラメータの値が入力されたとき、ＲＡＭ３１，３２にそれまで記憶されているパラメータの値を、新たに入力されたパラメータの値で更新させる。これにより、ビデオプロセッサ１３とサウンドプロセッサ１５において、実際に使用されているパラメータの値が、何らかの理由によりマイコン１２が指令しない異常な値に変更されていたとしても、正常な値に更新される。これにより、ビデオプロセッサ１３とサウンドプロセッサ１５が異常な動作を行うことが抑制される。
【００３７】
ステップＳ７の次にステップＳ４に戻り、再び一定の時間が経過するまで待機し、一定の時間が経過したとき、同様の処理を繰り返し実行する。
【００３８】
また、ステップＳ６において、パラメータｒ１の値が、値Ｒ１と一致しないと判定された場合、または、パラメータｒ２の値が、値Ｒ２と一致しないと判定された場合、ビデオプロセッサ１３またはサウンドプロセッサ１５に何らかの異常があるものと判断し、ステップＳ１に戻り、ビデオプロセッサ１３またはサウンドプロセッサ１５の電源オン時における立上処理以降の処理を実行する。
【００３９】
このように、この実施例においては、マイコン１２が、ビデオプロセッサ１３またはサウンドプロセッサ１５が、実際には使用していないパラメータを用いて異常の有無を検出するようにしているため、ビデオプロセッサ１３またはサウンドプロセッサ１５が、異常検出データを出力する機能を有していなくても、その異常を検出することが可能となる。
【００４０】
なお、この実施例においても、マイコン１２は、リモコン２によりパラメータの変更を指令する入力がなされたとき、図８のフローチャートに示す処理を実行し、そのステップＳ７１で、入力されたパラメータの値をＲＡＭ２２に記憶させ、ステップＳ７２でＲＡＭ２２に記憶したパラメータの値をビデオプロセッサ１３またはサウンドプロセッサ１５に出力させる。
【００４１】
そして、ビデオプロセッサ１３またはサウンドプロセッサ１５は、マイコン１２より新たなパラメータの値の入力を受けたとき、図９のフローチャートに示す処理を実行する。すなわち、そのステップＳ８１において、マイコン１２より入力されたパラメータの値をＲＡＭ３１，３２に記憶させ、ステップＳ８２において、ＲＡＭ３１，３２に記憶されたパラメータの値を映像または音声データを処理するパラメータの値として設定する処理を実行する。
【００４２】
図２の処理例においては、ビデオプロセッサ１３またはサウンドプロセッサ１５が実質的に使用していないパラメータを用いて、その異常を検出するようにしたが、ビデオプロセッサ１３またはサウンドプロセッサ１５は、異常な動作をしたとき、テレビジョン受像機１において、実際に使用しているパラメータも異常な値に設定することが考えられる。この場合は、ビデオプロセッサ１３またはサウンドプロセッサ１５が実際に使用しているパラメータから、その異常を検出することが可能である。図３は、この場合の処理例を表している。
【００４３】
すなわち、図３においては、最初にステップＳ２１において立上処理を実行する。この立上処理は、図２のステップＳ１における処理と同様の処理である。
【００４４】
次に、ステップＳ２２において、予め設定してある一定の時間が経過するまで待機し、一定の時間が経過したときステップＳ２３に進み、マイコン１２は、ビデオプロセッサ１３またはサウンドプロセッサ１５が、そのとき実際に設定している各パラメータの値を読み取る。ビデオプロセッサ１３またはサウンドプロセッサ１５は、マイコン１２から、この読み取りの指令の入力を受けたとき、その時点において、実際に設定しているパラメータの値をＲＡＭ３１，３２から読み出し、マイコン１２に出力する。
【００４５】
次に、ステップＳ２４に進み、マイコン１２は、ステップＳ２３で読み取ったビデオプロセッサ１３またはサウンドプロセッサ１５のそのとき設定しているパラメータの値と、マイコン１２がビデオプロセッサ１３またはサウンドプロセッサ１５に設定を指令した各パラメータの値（ＲＡＭ２２に記憶されているパラメータの値）を比較し、両者が等しいか否かを判定する。ビデオプロセッサ１３またはサウンドプロセッサ１５が正常に動作している場合、マイコン１２がビデオプロセッサ１３またはサウンドプロセッサ１５に対して設定を指令したパラメータの値と、ビデオプロセッサ１３またはサウンドプロセッサ１５がその指令に対応して実際に設定しているパラメータの値とは等しい。従って、この場合においては、ステップＳ２２に戻り、さらに一定の時間経過するまで待機し、一定の時間経過したとき、ステップＳ２３以降の処理を繰り返し実行する。
【００４６】
これに対して、ビデオプロセッサ１３またはサウンドプロセッサ１５に異常が発生した場合、設定しているパラメータの値が、マイコン１２により設定が指令されているパラメータの値と異なる値に更新される。そこで、この場合においては、ビデオプロセッサ１３またはサウンドプロセッサ１５に異常が発生したものと判定し、ステップＳ２４からステップＳ２１に戻り、立上処理を実行する。これにより、ビデオプロセッサ１３またはサウンドプロセッサ１５は、電源立上時における場合と同様に初期化され、最初から処理がやり直されることになる。
【００４７】
なお、この場合においても、マイコン１２とビデオプロセッサ１３またはサウンドプロセッサ１５は、それぞれ図８と図９に示したパラメータの入力処理とパラメータの設定処理を行うことは、上述した場合と同様である。
【００４８】
このようにして、例えば、ビデオプロセッサ１３は、ＣＲＴ１４の明るさを調整するパラメータを用いて、また、サウンドプロセッサ１５は、スピーカ１６から出力する音声信号のボリュームを設定するパラメータを用いて、それぞれ異常の有無を検出し、異常があった場合、これを修正することができる。
【００４９】
図２と図３に示した処理例においては、ビデオプロセッサ１３またはサウンドプロセッサ１５において設定されているパラメータを周期的に読み出して、異常の有無を検出するようにしたが、この他、マイコン１２がビデオプロセッサ１３またはサウンドプロセッサ１５に対してパラメータの設定を指令する場合に、異常の有無を検出するようにすることも可能である。図４は、この場合の処理例を表している。
【００５０】
すなわち、マイコン１２は、リモコン２よりパラメータの設定が指令されたとき、図４のフローチャートに示す処理を開始する。そして、最初にステップＳ３１において、マイコン１２は、リモコン２を操作することにより、入力されたパラメータをＲＡＭ２２に記憶させる。次にステップＳ３２において、ステップＳ３１において記憶されたパラメータに対応するパラメータの値を、ビデオプロセッサ１３とサウンドプロセッサ１５から読み取る。
【００５１】
そして、ステップＳ３３において、ビデオプロセッサ１３またはサウンドプロセッサ１５から読み取った、そのときビデオプロセッサ１３またはサウンドプロセッサ１５において設定されているパラメータの値が、ＲＡＭ２２に記憶されているビデオプロセッサ１３またはサウンドプロセッサ１５に対して設定を指令しているパラメータの値とが等しいか否かを判定する。両者が等しい場合、ビデオプロセッサ１３またはサウンドプロセッサ１５は正常に動作しているものと判定し、ステップＳ３５に進み、それまでＲＡＭ２２に記憶されていたビデオプロセッサ１３またはサウンドプロセッサ１５に設定を指令しているその時点におけるパラメータの値を、ステップＳ３１で記憶したパラメータの値で更新する。次にステップＳ３６に進み、更新したパラメータの値をビデオプロセッサ１３またはサウンドプロセッサ１５に出力し、そのパラメータの値を設定させる。
【００５２】
これに対して、ステップＳ３３で読み取ったビデオプロセッサ１３またはサウンドプロセッサ１５のパラメータの値が、ＲＡＭ２２に記憶されているパラメータの値と異なる値であると判定された場合、ビデオプロセッサ１３またはサウンドプロセッサ１５に異常があるものと判定し、ステップＳ３４に進み、ビデオプロセッサ１３またはサウンドプロセッサ１５を制御し、立上処理を実行する。そして、ビデオプロセッサ１３またはサウンドプロセッサ１５を初期化した後、ステップＳ３５に進み、ＲＡＭ２２に記憶されているビデオプロセッサ１３またはサウンドプロセッサ１５に対して、それまで指令していたパラメータの値を、ステップＳ３１で記憶されたパラメータの値で更新する。そして、ステップＳ３６において、その更新したパラメータの値をビデオプロセッサ１３またはサウンドプロセッサ１５に出力する。
【００５３】
以上のようにして、ビデオプロセッサ１３またはサウンドプロセッサ１５に異常があった場合、正常な状態に回復させることができる。
【００５４】
なお、上記実施例においては、ビデオプロセッサ１３またはサウンドプロセッサ１５が異常であることが検出されたとき、ビデオプロセッサ１３またはサウンドプロセッサ１５のみを再度立ち上げる処理を実行するようにしたが、テレビジョン受像機１全体を再度立ち上げるように処理することも可能である。
【００５５】
また、上記実施例においては、被監視装置として、ビデオプロセッサ１３とサウンドプロセッサ１５を例として説明したが、その他の装置を被監視装置とすることも可能である。さらに、その被監視装置は、テレビジョン受像機以外の電子機器を構成するものであってもよいことはもとよりである。
【００５６】
【発明の効果】
以上の如く請求項１に記載の監視装置、および請求項３に記載の監視方法によれば、被監視装置において未使用パラメータを記憶する領域に設定されているパラメータの値と、設定を指令したパラメータの値とを比較し、その比較結果に対応して、被監視装置を制御するようにしたので、被監視装置が異常の有無を検出する機能を有していない場合においても、その被監視装置の異常の有無を、迅速かつ確実に、検出することが可能となる。
【図面の簡単な説明】
【図１】本発明の監視装置を応用したテレビジョン受像機の構成例を示すブロック図である。
【図２】図１の実施例の動作を説明するフローチャートである。
【図３】図１の実施例の他の動作例を示すフローチャートである。
【図４】図１の実施例のさらに他の動作例を示すフローチャートである。
【図５】従来のテレビジョン受像機の一部の構成を示すブロック図である。
【図６】図５のマイクロコンピュータの異常の有無を検出する場合の処理例を示すフローチャートである。
【図７】図５のサウンドプロセッサの異常検出処理を示すフローチャートである。
【図８】図５のマイクロコンピュータのパラメータ入力時における処理例を示すフローチャートである。
【図９】図５のサウンドプロセッサのパラメータ設定処理の処理例を示すフローチャートである。
【符号の説明】
１  テレビジョン受像機，  ２  リモートコマンダ，  １２  マイクロコンピュータ，  １３  ビデオプロセッサ，  １５  サウンドプロセッサ，  ２１  ＲＯＭ，  ２２，３１，３２  ＲＡＭ
【図１】
0003573309.tif 000002
【図２】
0003573309.tif 000003
【図３】
0003573309.tif 000004
【図４】
0003573309.tif 000005
【図５】
0003573309.tif 000006
【図６】
0003573309.tif 000007
【図７】
0003573309.tif 000008
【図８】
0003573309.tif 000009
【図９】
0003573309.tif 000010